(57)【要約】【課題】カプセル内視鏡を挿入案内するガイドワイヤの取り扱いが容易で、しかも清潔に保てるカプセル内視鏡用ガイドワイヤ収納ケースを提供することにある。【解決手段】カプセル内視鏡を管腔に挿入案内するカプセル内視鏡用ガイドワイヤを収納するためのガイドワイヤ収納ケースであって、ケース本体４に、１本もしくは複数本のガイドワイヤ１を纏めて収納する収納部５と、この収納部５に収納されたガイドワイヤ１をその先端部から引出し可能な開口部７とを設けたことを特徴とする。【選択図】図１
2005230447.tif 000002
【特許請求の範囲】
【請求項１】
カプセル内視鏡を管腔に挿入案内するカプセル内視鏡用ガイドワイヤを収納するためのガイドワイヤ収納ケースであって、
ケース本体に、１本もしくは複数本のガイドワイヤを纏めて収納する収納部と、この収納部に収納されたガイドワイヤをその先端部から引出し可能な開口部とを設けたことを特徴とするカプセル内視鏡用ガイドワイヤ収納ケース。
【発明の詳細な説明】
【技術分野】
【０００１】
この発明は、例えば、肛門から大腸等の管腔に挿入し、管腔内を観察するカプセル内視鏡を挿入案内するカプセル内視鏡用ガイドワイヤ収納ケースに関する。
【背景技術】
【０００２】
人体の胃や腸（大腸、小腸等）に挿入して観察する内視鏡は、内視鏡本体に可撓性を有する挿入部が設けられ、この挿入部の先端部に照明光学系、観察光学系等を備えた先端構成部が設けられている。そして、内視鏡の挿入部を経口的あるいは経肛門的に体腔内に挿入して体腔内を観察できるようになっている。
【０００３】
また、最近では、内視鏡の挿入部を必要としないカプセル内視鏡が開発されている（例えば、特許文献１参照。）。このカプセル内視鏡は、照明光学系、観察光学系、バッテリー及び送信回路等が内蔵されており、口からカプセル内視鏡を飲み込み、カプセル内視鏡が食道、胃、小腸の順に体腔内を通過する過程で体腔内を観察できるようになっている。
【０００４】
また、観察光学系によって撮像された画像信号は送信回路によって体外の受信回路に送信され、受信回路からモニターに送信され、モニターに観察画像が映し出されるようになっている。
【特許文献１】特開２００３−２６００２５号公報
【発明の開示】
【発明が解決しようとする課題】
【０００５】
しかしながら、特許文献１は、口からカプセル内視鏡を飲み込み、カプセル内視鏡が自然と食道、胃、小腸の順に体腔内を通過する過程で体腔内を観察するものであり、カプセル内視鏡の進行が遅いとともに、カプセル内視鏡を体腔内の目的部位にアプローチすることはできない。すなわち、体腔内を観察中に病変部を発見しても、カプセル内視鏡をその病変部に近付けて至近距離で観察したり、カプセル内視鏡を病変部の近くで一時的に停止して観察することはできない。
【０００６】
また、特許文献１のものは、口から飲み込む物であって、カプセル内視鏡を単独で経肛門的に大腸に挿入して大腸の管腔を観察することはできない。従って、大腸の観察においては、大腸内視鏡が用いられ、内視鏡の挿入部を経肛門的に大腸内に挿入して観察・処置しているのが現状である。
【０００７】
この発明は、前記事情に着目してなされたもので、その目的とするところは、例えば、大腸等の管腔に挿入し、管腔内を観察する体腔内を進退しながら観察するカプセル内視鏡を挿入案内するガイドワイヤの取り扱いが容易で、しかも清潔に保てるカプセル内視鏡用ガイドワイヤ収納ケースを提供することにある。
【課題を解決するための手段】
【０００８】
この発明は、前記目的を達成するために、カプセル内視鏡を管腔に挿入案内するカプセル内視鏡用ガイドワイヤを収納するためのガイドワイヤ収納ケースであって、ケース本体に、１本もしくは複数本のガイドワイヤを纏めて収納する収納部と、この収納部に収納されたガイドワイヤをその先端部から引出し可能な開口部とを設けたことを特徴とするカプセル内視鏡用ガイドワイヤ収納ケースにある。
【発明の効果】
【０００９】
この発明によれば、カプセル内視鏡を挿入案内するガイドワイヤの取り扱いが容易で、しかも清潔に保つことができる。
【発明を実施するための最良の形態】
【００１０】
以下、この発明の各実施の形態を図面に基づいて説明する。
【００１１】
図１及び図２は第１の実施形態を示し、図１はカプセル内視鏡用ガイドワイヤ収納ケースは蓋体を開放した状態の斜視図、図２はガイドワイヤを必要なだけ引出して使用している状態の斜視図である。
【００１２】
カプセル内視鏡用ガイドワイヤ１は、可撓性を有する長尺の金属ワイヤ（外径が１〜３ｍｍφ）、例えばステンレスワイヤによって形成され、このガイドワイヤ１の先端部には球状のガイドワイヤ導入部材２が設けられている。ガイドワイヤ１は、ステンレスワイヤの単線、撚り線、密巻きコイルあるいはフレックスであり、ガイドワイヤ１の潤滑性を向上させるために、これらの外周面にフッ素コーティングあるいは親水潤滑コーティングを施してもよい。また、ガイドワイヤ１は潤滑性に優れたテフロン（登録商標）などの合成樹脂製の線状体でもよい。このような潤滑性に優れた材料を被覆あるいはそれ自体でワイヤとすることにより、挿入性はもちろん洗滌性も向上する。
【００１３】
前記ガイドワイヤ１を収納する収納ケース３のケース本体４は、扁平矩形状で、内部には上部開口の円筒状の凹陥部からなる収納部５が設けられている。この収納部５の中央部には巻芯６が設けられているとともに、ケース本体４の一側部には収納部５と連続する開口部７が設けられている。収納部５の開口はケース本体４に枢支された開閉可能な第１の蓋体８によって閉塞され、開口部７はケース本体４に枢支された開閉可能な第２の蓋体９によって閉塞されている。第１の蓋体８には無数の小孔８ａが穿設され、収納ケース３ごとオートクレーブできるようになっている。さらに、開口部７にはガイドワイヤ１の保持する挟持片１０が設けられている。
【００１４】
収納部５の巻芯６にはガイドワイヤ１が巻回した状態に、収納部５にコンパクトに纏めて収納されている。そして、ガイドワイヤ１の先端部は挟持片１０に挟持された状態に保持されている。
【００１５】
前述のように構成された収納ケース３によれば、第２の蓋体９を開放すると、開口部７からガイドワイヤ導入部材２が露出する。このガイドワイヤ導入部材２を持ってガイドワイヤ１を挟持片１０から外すと、ガイドワイヤ１が収納部５から引出し可能となる。従って、ガイドワイヤ導入部材２を持って必要な長さだけ引出すと、ガイドワイヤ１は収納部５から繰出される。
【００１６】
図２はカプセル内視鏡用ガイドワイヤの使用状態で、収納ケース３から引出したガイドワイヤ１を患者の肛門１１から管腔としての大腸１２に挿入し、このガイドワイヤ１を案内としてカプセル内視鏡１３を大腸１２に挿入した状態を示す。カプセル内視鏡１３にはガイドワイヤ１が挿通される挿通孔（図示しない）が設けられており、挿通孔の側部にガイドワイヤ１が通過できる切込みを設けることにより、長尺のガイドワイヤ１の途中を切込みを介してがプセル内視鏡１３の挿通孔に挿通することができる。
【００１７】
従って、収納ケース３から必要な長さだけガイドワイヤ１を引出し、ガイドワイヤ１の末端側を収納ケース３の収納部５に収納したままの状態で使用することができる。このため、ガイドワイヤ１が絡み付いたり、床に垂れ下がることもなく、清潔な状態で使用することができる。
【００１８】
図３は第２の実施形態を示し、第１の実施形態と同一構成部分は同一番号を付して説明を省略する。本実施形態のガイドワイヤ１は、所定の長さに切断されたガイドワイヤ１であって、各ガイドワイヤ１の先端部にガイドワイヤ導入部材２を設けたものである。ガイドワイヤ１の末端部にはワイヤの端部を屈曲したフック部１ａが設けられ、このフック部１ａは他のガイドワイヤ１のガイドワイヤ導入部材２に係合されている。従って、複数本のガイドワイヤ１がフック部１ａとガイドワイヤ導入部材２とを係合することにより、複数本が連結されて１本のガイドワイヤ１Ａとして形成されている。
【００１９】
連結された１本のガイドワイヤ１Ａを第１の実施形態と同様の収納ケース３の収納部５に巻回して収納する。そして、開口部７から最前端のガイドワイヤ１を引出すと、そのガイドワイヤ１のフック部１ａに係合している２番目のガイドワイヤ１のガイドワイヤ導入部材２が開口部７まで引出される。従って、開口部７の付近でフック部１ａとガイドワイヤ導入部材２との係合を解除することにより、最前端のガイドワイヤ１と２番目のガイドワイヤ１とが分離される。
【００２０】
そして、収納ケース３から引出された最前端のガイドワイヤ１のみを使用することにより、後続のガイドワイヤ１は収納ケース３に収納されたまま清潔な状態に保つことができる。また、最前端のガイドワイヤ１のフック部１ａと後続のガイドワイヤ１のガイドワイヤ導入部材２とを係合することにより、後続のガイドワイヤ１のガイドワイヤ導入部材２が開口部７まで引出されるため、後続のガイドワイヤ１を使用する際に引出しやすく、取り扱いが容易である。
【００２１】
図４（ａ）（ｂ）は第３の実施形態を示し、第１の実施形態と同一構成部分は同一番号を付して説明を省略する。本実施形態の収納ケースは、台紙１６と合成樹脂材料からなる透明カバー１７とからなるディスポーザブルのブリスターパック１５であり、内部には収納部１８が設けられている。また、収納部１８と連通して透明カバー１７の一部には切り取り蓋１９が設けられている。
【００２２】
収納部１８にはガイドワイヤ１が巻回した状態に、収納部１８にコンパクトに纏めて収納されている。そして、ガイドワイヤ１の先端部のガイドワイヤ導入部材２は切り取り蓋１９の内部に収納保持されている。従って、切り取り蓋１９を切り取ると、ガイドワイヤ導入部材２が露出する。このガイドワイヤ導入部材２を持ってガイドワイヤ１を収納部１８から引出し可能となる。従って、ガイドワイヤ導入部材２を持って必要な長さだけ引出すと、ガイドワイヤ１は収納部１８から繰出される。なお、収納部１８に収納されるガイドワイヤ１は、第２の実施形態に示すように、複数本のガイドワイヤ１がフック部１ａとガイドワイヤ導入部材２とを係合することにより、連結された１本のガイドワイヤ１Ａでもよいことは勿論である。
【００２３】
図５は第４の実施形態を示し、第１の実施形態と同一構成部分は同一番号を付して説明を省略する。本実施形態の収納ケースは、紙または合成樹脂材料からなるディスポーザブルの袋体２０であり、内部には収納部２１が設けられている。袋体２０の上部コーナ部には切取り線２２を有した開口部２３が設けられている。
【００２４】
収納部２１にはガイドワイヤ１が巻回した状態に、収納部２１にコンパクトに纏めて収納されている。そして、ガイドワイヤ１の先端部のガイドワイヤ導入部材２は開口部２３付近に収納保持されている。従って、切取り線２２を切り取ると、開口部２３からガイドワイヤ導入部材２が露出する。このガイドワイヤ導入部材２を持ってガイドワイヤ１を収納部２１から引出し可能となる。従って、ガイドワイヤ導入部材２を持って必要な長さだけ引出すと、ガイドワイヤ１は収納部２１から繰出される。なお、収納部２１に収納されるガイドワイヤ１は、第２の実施形態に示すように、複数本のガイドワイヤ１がフック部１ａとガイドワイヤ導入部材２とを係合することにより、連結された１本のガイドワイヤ１Ａでもよいことは勿論である。
【００２５】
前記各実施の形態によれば、次のように構成が得られる。
【００２６】
（付記１）カプセル内視鏡を管腔に挿入案内するカプセル内視鏡用ガイドワイヤを収納するためのガイドワイヤ収納ケースであって、ケース本体に、１本もしくは複数本のガイドワイヤを纏めて収納する収納部と、この収納部に収納されたガイドワイヤをその先端部から引出し可能な開口部とを設けたことを特徴とするカプセル内視鏡用ガイドワイヤ収納ケース。
【００２７】
（付記２）前記ケース本体は、ガイドワイヤを収納した収納部を閉塞する蓋体を有し、この蓋体にはオートクレーブ用の小孔が設けられていることを特徴とする付記１記載のカプセル内視鏡用ガイドワイヤ収納ケース。
【００２８】
（付記３）前記収納部に収納されるガイドワイヤは長尺で、開口部から必要な長さだけ引出すことができるように巻芯に渦巻き状に巻回されていることを特徴とする付記１記載のカプセル内視鏡用ガイドワイヤ収納ケース。
【００２９】
（付記４）前記ガイドワイヤは、所定長の複数本のガイドワイヤが連結された状態で収納部に収納され、最前端のガイドワイヤを引出すと、後続するガイドワイヤの先端部が開口部まで導かれることを特徴とする付記１記載のカプセル内視鏡用ガイドワイヤ収納ケース。
【００３０】
（付記５）前記ガイドワイヤは、先端部にガイドワイヤ導入部材、末端部にフック部を有し、先端側のガイドワイヤのフック部が後続のガイドワイヤのガイドワイヤ導入部材と係合して連結されていることを特徴とする付記４記載のカプセル内視鏡用ガイドワイヤ収納ケース。
【００３１】
（付記６）前記ケース本体は、ディスポーザブルなブリスターパックであることを特徴とする付記１記載のカプセル内視鏡用ガイドワイヤ収納ケース。
【００３２】
（付記７）前記ケース本体は、ディスポーザブルな袋体であることを特徴とする付記１記載のカプセル内視鏡用ガイドワイヤ収納ケース。
【００３３】
（付記８）前記ガイドワイヤは、外周面にフッ素コーティングあるいは親水潤滑コーティングが施されていることを特徴とする付記１記載のカプセル内視鏡用ガイドワイヤ収納ケース。
【００３４】
なお、この発明は、前記実施形態そのままに限定されるものではなく、実施段階ではその要旨を逸脱しない範囲で構成要素を変形して具体化できる。また、前記実施形態に開示されている複数の構成要素の適宜な組合せにより種々の発明を形成できる。例えば、実施形態に示される全構成要素から幾つかの構成要素を削除してもよい。さらに、異なる実施形態に亘る構成要素を適宜組合わせてもよい。
【図面の簡単な説明】
【００３５】
【図１】この発明の第１の実施形態を示し、カプセル内視鏡用ガイドワイヤ収納ケースは蓋体を開放した状態の斜視図。
【図２】同実施形態を示し、ガイドワイヤを必要なだけ引出して使用している状態の斜視図。
【図３】この発明の第２の実施形態を示し、ガイドワイヤの斜視図。
【図４】この発明の第３の実施形態を示し、（ａ）はブリスターパックの斜視図、（ｂ）は切り取り蓋を外した状態のブリスターパックの斜視図。
【図５】この発明の第４の実施形態を示し、袋体の斜視図。
【符号の説明】
【００３６】
１…ワイヤガイド、３…収納ケース、４…ケース本体、５…収納部、７…開口部
【図１】
2005230447.tif 000003
【図２】
2005230447.tif 000004
【図３】
2005230447.tif 000005
【図４】
2005230447.tif 000006
【図５】
2005230447.tif 000007